(57)【要約】      （修正有）【課題】カーカスプライ素材の、ビードリングの周りへの巻き回し端部分を、別添拘束部材等によってビードリングに拘束する必要なしに、ビードリングの周りに、所期した通りに確実に巻付け、そして保持することを可能とした生タイヤの製造方法に用いる、カーカスプライ素材の折曲げ装置を提供する。【解決手段】製品タイヤの内面形状と対応する外面形状を有する剛性コア１のそれぞれの側部に隣接させて配置され、その剛性コア１の回転駆動軸２上に固定された、剛性コア１より小径のアンビルロール３の周面上に二条の環状溝４を設けるとともに、カーカスプライ素材５を、アンビルロール３の環状溝４内へ局部的に押込む回転円板７を、アンビルロール３に近接および離反変位可能に設けてなる。【選択図】図１
2008126483.tif 000002
【特許請求の範囲】
【請求項１】
製品タイヤの内面形状と対応する外面形状を有する剛性コア上に、所要のタイヤ構成部材を所定の順序で配設して生タイヤを成型するに当たり、
剛性コア上に、複数本のスチールコードからなるカーカスプライ素材を、それの全周にわたって配設するとともに、剛性コアの両側部で、カーカスプライ素材の外周側に少なくとも一対のビードリングを配設し、カーカスプライ素材の、ビードリングからの各突出端部分に、半径方向外方に折れ曲がる向きの一個所以上のくせ付け加工を、それの全周にわたって施し、次いで、カーカスプライ素材のくせ付け加工部分を、ビードリングの周りに、塑性変形下で巻付ける生タイヤの製造方法。
【請求項２】
カーカスプライ素材の、ビードリングからの各突出端部分に、そのビードリングより半径方向内方位置でくせ付け加工を施す請求項１に記載の生タイヤの製造方法。
【請求項３】
カーカスプライ素材の、前記突出端部分へのくせ付け加工を、剛性コアの側部に配設されて回転駆動されるアンビルロールの周面の、一条以上の環状溝に対する、その突出端部分の局部的な押込みによって行う請求項１もしくは２に記載の生タイヤの製造方法。
【請求項４】
カーカスプライ素材の、前記突出端部分へのくせ付け加工を、剛性コアより小径のアンビルロール上で行う請求項３に記載の生タイヤの製造方法。
【請求項５】
前記くせ付け加工を、剛性コアに対し、軸線方向の外側に向けて漸次小径となる円錐台状のアンビルロール上で行う請求項４に記載の生タイヤの製造方法。
【請求項６】
前記くせ付け加工を、剛性コアと等速で回転駆動されるアンビルロール上で行う請求項３〜５のいずれかに記載の生タイヤの製造方法。
【請求項７】
カーカスプライ素材へのくせ付け加工を、回転円板による、そのカーカスプライ素材の、アンビルロールの環状溝内への押込みによって行う請求項３〜６のいずれかに記載の生タイヤの製造方法。
【請求項８】
アンビルロールの複数条の環状溝に対して、複数枚の回転円板を同時に作用させてカーカスプライ素材の複数個所にくせ付け加工を施す請求項３〜７のいずれかに記載の生タイヤの製造方法。
【請求項９】
前記くせ付け加工部分の、ビードリングの周りへの巻付けを、多角形横断面形状を有するビードリングの一以上の角部に対応させてくせ付け加工部を位置させた状態にて行う請求項１〜８のいずれに記載の生タイヤの製造方法。
【請求項１０】
くせ付け加工部分の、ビードリングの周りへの巻付けに先だって、対をなすビードリングを、剛性コアのそれぞれの側部に隣接して位置する、それらのセット位置に変位させる請求項１〜９のいずれかに記載の生タイヤの製造方法。
【請求項１１】
くせ付け加工部分の、ビードリングの周りへの巻付けを、そのくせ付け加工部分に、剛性コアの軸線方向の外側からビードリングに抱着く向きの変形を生じさせることにより行う請求項１〜１０のいずれかに記載の生タイヤの製造方法。
【請求項１２】
くせ付け加工部分の、ビードリングの周りへの巻付けを、カーカスプライ素材およびビードリングがビードロック手段によって位置決め保持された状態で、剛性コアに対してビードロック手段の外側に隣接して位置する巻付け手段の半径方向の拡径変位により、そのくせ付け加工部分を半径方向外向きに変形させることによって行う請求項１０もしくは１１に記載の生タイヤの製造方法。
【請求項１３】
製品タイヤの内面形状と対応する外面形状を有する剛性コアのそれぞれの側部に隣接させて配置され、その剛性コアの回転駆動軸上に固定された、剛性コアより小径のアンビルロールの周面上に一条以上の環状溝を設けるとともに、カーカスプライ素材をアンビルロールの環状溝内への局部的に押込む回転円板を、アンビルロールに接近および離反変位可能に設けてなる、生タイヤの製造に用いるカーカスプライ素材の折曲げ装置。
【請求項１４】
回転円板を、アンビルロールの半径方向断面内で、それの周面と平行に延びる支持軸に取付けてなる請求項１３に記載の生タイヤの製造に用いるカーカスプライ素材の折曲げ装置。
【請求項１５】
アンビルロールに、カーカスプライ素材の位置決め手段を設けてなる請求項１３もしくは１４に記載の生タイヤの製造に用いるカーカスプライ素材の折曲げ装置。
【請求項１６】
アンビルロールの周面を、剛性コアから遠去かるにつれて漸次小径となるテーパ面としてなる請求項１３〜１５のいずれかに記載の生タイヤの製造に用いるカーカスプライ素材の折曲げ装置。
【請求項１７】
アンビルロールの、複数条の環状溝のそれぞれにカーカスプライ素材を押込むそれぞれの回転円板を、共通の一本の支持軸に取付けてなる請求項１３〜１６のいずれかに記載の生タイヤの製造に用いるカーカスプライ素材の折曲げ装置。
【発明の詳細な説明】
【技術分野】
【０００１】
この発明は、製品タイヤの内面形状と対応する外面形状を有する剛性コア上に、所要のタイヤ構成部材を所定の順序で配設することによって生タイヤを製造する方法および、その生タイヤの製造に用いる、カーカスプライ素材の折曲げ装置に関するものであり、とくには、製品タイヤにおける、スチールコードからなるカーカスプライの、ビードリング、たとえば、多角形横断面形状を有するビードリングに対する耐引き抜け性を大きく向上させるべく、カーカスプライ素材の側部部分を、スチールコードの塑性変形下で、ビードリングの周りに巻付ける技術を提案するものである。
【背景技術】
【０００２】
製品タイヤの内面形状と対応する外面形状を有する剛性コア上で生タイヤを成型する場合には、製品タイヤの、カーカスプライの耐引き抜け性を向上させてビード部耐久性を高めるべく、特許文献１および、特願２００６−５６０７８号に開示されているように、スチールコードからなるカーカスプライ素材のそれぞれの側部部分を、スチールコードの弾性変形下で、対をなすそれぞれのビードリングの周りに、内側から外側へ、そしてまた、外側から内側に向けて順次に巻き回すとともに、カーカスプライ素材のこの巻き回し端部分を、拘束部材をもって、半径方向外方側からビードリングに拘束することが提案されている。
【特許文献２１】特開２００６−６２４９５号公報
【発明の開示】
【発明が解決しようとする課題】
【０００３】
しかるに、これらの提案技術にあっては、カーカスプライ素材のスチールコードは、それらの弾性変形状態で、ビードリングに拘束されていることから、生タイヤに対する加硫成形前の時点において、前記拘束部材が、スチールコードの弾性復元力によってビードリングの外側方向へ押し出される傾向にあるとともに、カーカスプライ素材それ自体が元形状に復帰しようとする傾向にあるため、拘束部材の位置および、カーカスプライ素材の形状等を十分に安定させることができないという問題があり、このことは、生タイヤの加硫成形の初期でゴムが軟化することによって、拘束部材の変位および、カーカスプライ素材の変形に対する、ゴムの拘束力が低下した場合にとくに重大であった。
【０００４】
この発明は、提案技術が抱えるこのような問題点を解決することを課題とするものであり、それの目的とするところは、カーカスプライ素材の巻き回し端部分を、前述した拘束部材その他の別添部材をもって、ビードリングに拘束する必要なしに、ビードリングの周りに、所期した通りに確実に巻付け、そして保持することを可能とした生タイヤの製造方法および、それの製造に用いる、カーカスプライ素材の折曲げ装置を提供するにある。
【課題を解決するための手段】
【０００５】
この発明に係る生タイヤの製造方法は、製品タイヤの内側形状と対応する外側形状を有する、分解可能な剛性コア上に、所要のタイヤ構成部材を所定の順序で配設して生タイヤを成型するに当って、剛性コア上に、多数本のスチールコードからなり、通常は被覆ゴムを伴うカーカスプライ素材を、それの全周にわたって、たとえばほぼ円筒状に配設するとともに、剛性コアの両側部で、カーカスプライ素材の外周側に、所定の直径を有する一対以上のビードリングを配設し、カーカスプライ素材の、ビードリングからの各突出端部分に、半径方向外方に折れ曲がる向きの、一個所以上の、塑性変形になるくせ付け加工を、それの全周にわたって施し、次いで、カーカスプライ素材のくせ付け加工部分を、ビードリングの周りに、さらなる塑性変形の下で巻付けるにある。
【０００６】
ここで、ビードリングからそれの側方へ突出する、カーカスプライ素材の各突出端部分へのくせ付け加工は、ビードリングより半径方向内方側の位置にて行うことが好ましい。
【０００７】
また好ましくは、カーカスプライ素材の突出端部分へのくせ付け加工を、剛性コアの側部に配設されて回転駆動されるアンビルロールの周面の、一条以上の周面環状溝に対する、その突出端部分の局部的な押込みによって行う。
そしてこの場合は、上記のくせ付け加工を、剛性コアより小径のアンビルロール上で行うことが好ましく、より好ましくは、そのくせ付け加工を、剛性コアに対し、軸線方向の外側に向けて漸次小径となる円錐台状のアンビルロール上にて行う。
【０００８】
なお、アンビルロールを用いるこれらのいずれの場合にあっても、くせ付け加工は、剛性コアと等速で回転駆動されるアンビルロール上で行うことが好ましく、そのくせ付け加工を、回転円板、なかでも周縁部を薄肉とした回転円板による、そのカーカスプライ素材の、アンビルロールの環状溝内への押込みによって行うことが好ましい。
【０００９】
ところで、カーカスプライ素材の突出端部分に、それの中心軸線方向に間隔をおいた複数個所でくせ付け加工を施すときは、アンビルロールの複数条の環状溝に対して、複数枚の回転円板を同時に作用させて、複数個所のくせ付け加工を同時に行うことが好ましい。
【００１０】
そして、所要のくせ付け加工を終えた後は、くせ付け加工部分の、ビードリングの周りへの巻付けを、多角形横断面形状を有するビードリングの一以上の角部に対応させてくせ付け加工部を位置させた状態にて行うことが好ましく、このような巻付けを行うに先だって、対をなすビードリングを、剛性コアのそれぞれの側部に隣接して位置する、それらのセット位置に変位させることが好ましい。
【００１１】
ここで、くせ付け加工部分の、ビードリングの周りへの巻付けは、そのくせ付け加工部分に、剛性コアの軸線方向の外側からビードリングに抱着く向きの変形を生じさせることによって行うことが好ましく、その巻付けは、カーカスプライ素材およびビードリングがビードロック手段によって位置決め保持された状態の下で、剛性コアに対してビードロック手段の外側に隣接して位置する巻付け手段の半径方向の拡径変位によって、上記くせ付け加工部分を、半径方向向きに塑性変形させることにて行うことが好ましい。
【００１２】
また、この発明に係る、生タイヤの製造に用いるカーカスプライ素材の折曲げ装置は、製品タイヤの内面形状と対応する外面形状を有する剛性コアのそれぞれ側部に隣接させて配置されて、その剛性コアの回転駆動軸上に固定された、剛性コアより小径のアンビルロールの周面上に一条以上の環状溝を設けるとともに、カーカスプライ素材を、アンビルロールの環状溝内へ局部的に押込む回転円板を、そのアンビルロールに接近および離反変位可能に設けてなるものである。
【００１３】
ここで、回転円板は、アンビルロールの半径方向断面内で、それの周面と平行に延びる支持軸上に、回転自在に、または、その支持軸とともに回転駆動可能に取付けることが好ましい。
また、アンビルロールには、その周面上に、カーカスプライ素材の前記突出端部分を位置決め保持する、吸着手段その他からなる位置決め手段を設けることが好ましい。
【００１４】
ところで、上記のいずれの折曲げ装置においても、アンビルロールの周面は、剛性コアから遠去かるにつれて漸次小径となるテーパ面とすることが好ましく、また、アンビルロールの複数条の環状溝の作用下で、カーカスプライ素材の突出端部分の複数個所にくせ付け加工を施す必要に対しては、アンビルロールの、複数条の環状溝のそれぞれにカーカスプライ素材を押込むそれぞれの回転円板を、たとえば、アンビルロールの半径方向断面内で、それの周面に、その周面と平行な姿勢を維持しつつ接近および離反変位可能な、共通の一本の支持軸に取付けることが好ましい。
【発明の効果】
【００１５】
この発明に係る生タイヤの製造方法では、スチールコードからなるカーカスプライ素材の突出端部分に、半径方向外方に折れ曲がる向きの、一個所以上の、塑性変形になるくせ付け加工を施すとともに、カーカスプライ素材のそのくせ付け加工部分を、ビードリングの周りに、これもまた塑性変形下で巻付けることにより、カーカスプライ素材、直接的にはそれを形成するスチールコードを、ビードリングの周りに、所期した通りに確実に巻付けることができ、また、各塑性変形に基いてその巻付け姿勢を確実に維持することができるので、提案技術で述べたような拘束部材等の適用を不要とすることができる。
【００１６】
従って、カーカスプライ素材の弾性復元力に起因する、拘束部材等の変位および、カーカスプライ素材それ自体の弾性復元変形等のおそれを十分に取り除いて、カーカスプライ素材、ひいては、製品タイヤにおけるカーカスプライの、ビードリングに対する巻付き形態を、常に所期した通りの一定のものとすることができる。
【００１７】
この方法において、カーカスプライ素材の、ビードリングからの各突出端部分に、そのビードリングより半径方向内方位置でくせ付け加工を施す場合は、ビードリングの嵌め合わせにより、弾性域内で縮径方向に変形される各突出端部分の延在形態をそのままに、いいかえれば、各突出端部分に、拡径方向の弾性もしくは塑性変形を行わせる必要なしに、所要に応じたくせ付け加工を簡易に行うことができる。
【００１８】
そして、このくせ付け加工を、剛性コアの側部に配設されて回転駆動されるアンビルロールの周面の、一条以上の環状溝に対する、前記突出端部分の局部的な押込みによって行う場合は、カーカスプライ素材の全周にわたるくせ付け加工を容易にするとともに、所期した通りの塑性変形を行わせることができる。
この場合、剛性コアより小径のアンビルロール上でくせ付け加工を行うときは、上記の加工の容易性および、加工の確実性を確保しつつ、先に述べたように、各突出端部分の、ビードリングの嵌め合わせ時の形態をそのままに、簡易にくせ付け加工を行うことができる。
【００１９】
また、このくせ付け加工を、剛性コアに対して軸線方向の外側に向けて漸次小径となる円錐台状のアンビルロール上で行う場合は、ロール周面を、ビードリングを嵌合されたカーカスプライ素材の突出端部分の延在形態に特別の変形を加えることなく、より適切に対応させることができ、これがため、各突出端部分の所定個所へのくせ付け加工精度を一層高めることができる。
【００２０】
そしてこのことは、くせ付け加工を、剛性コアと等速、すなわち、等しい角速度で駆動されるアンビルロール上で行って、カーカスプライ素材、直接的にはそれを形成するスチールコードの、円周方向での、相対ずれを防止した場合により効果的である。
【００２１】
ところで、このようなくせ付け加工を、カーカスプライ素材との摩擦力によって回転される、または、カーカスプライ素材の周速と対応する周速で回転駆動される回転円板による、カーカスプライ素材の、アンビルロール環状溝への押込みによって行う場合には、その加工部に、所期した通りの正確な変形を、十分円滑に生じさせることができる。
【００２２】
ここで、アンビルロールの周面の複数条の環状溝に対して複数枚の回転円板を同時に作用させてカーカスプライ素材の複数箇所に同時にくせ付け加工を施す場合は、それぞれのくせ付け加工を経時的に行う場合に比し、先行する加工によって形成された、カーカスプライ素材の塑性変形部分に影響を受けることなく、それぞれのくせ付け加工をより円滑に、かつより正確に行うことができる。
【００２３】
以上のようにして、くせ付け加工を施した後における、カーカスプライ素材のくせ付け加工部分の、ビードリングの周りへの巻付けを、多角形横断面形状を有するビードリングの一以上の角部に対応させてくせ付け加工部を位置させた状態にて行う場合は、製品タイヤのカーカスプライの、ビードリングへの掛合力を高めて、カーカスプライの耐引き抜け性を大きく向上させることができる。
【００２４】
なお、くせ付け加工部分の、ビードリングの周りへの巻付けに先だって、対をなすビードリングを、剛性コアのそれぞれの側部に隣接して位置する、それらのセット位置に変位させる場合には、くせ付け加工部分の、ビードリングへの巻付き姿勢を、製品タイヤ内でのその巻付き姿勢とほぼ等しくすることができるので、くせ付け加工部分をビードリングに巻付けた後に、それらのビードリングをセット位置に変位させる場合に比し、巻付き姿勢の変化のおそれを有効に取り除くことができて、製品タイヤのカーカスプライに、所期した通りの高い耐引き抜け性を付与することができ、また、製品タイヤの骨格構造としてのカーカスプライのパスライン等、ひいては、製品タイヤの寸法、形状その他の意図しない変動を有効に防止することができる。
【００２５】
またここで、くせ付け加工部分のビードリングの周りへの巻付けを、そのくせ付け加工部分に、剛性コアの軸線方向の外側からビードリングに抱着く向きの変形を生じさせる事によって行うときは、剛性コアの軸線方向の内側から抱着く向きの変形を生じさせる場合に比し、その変形を容易に行わせることができ、また、ビードリングへの巻付き精度を十分に高めることができる。
【００２６】
そして、以上のような巻付けを、カーカスプライ素材およびビードリングの、ビードロック手段による位置決め保持状態で、剛性コアに対してビードロック手段の外側に隣接して位置する巻付け手段の、半径方向の拡径変位により、くせ付け加工部分を半径方向外向きに塑性変形させることによって行う場合は、ビードロック手段の作用下で、簡単な構造の装置により、所期した通りの塑性変形を簡易に行わせることができる。
【００２７】
この発明に係る、カーカスプライ素材の折曲げ装置は、剛性コアの両側部に配置されて、好ましくはそれと一体的に回転される、周面上に環状溝を有するアンビルロールと、このアンビルロールの周面に対して接近および離反変位可能に設けた回転円板とで簡単に構成することができ、かかる折曲げ装置では、剛性コア上に、それの全周にわたって配置されたカーカスプライ素材のそれぞれの端部分をアンビルロール上に位置させ、そして、そのカーカスプライ素材を、好ましくは相互に同一の角速度で回転される剛性コアおよびアンビルロールと一体的に回動させながら、回転円板をアンビルロールの周面に近接変位させて、そのアンビルロール上に位置する、カーカスプライ素材の端部分を、その回転円板により、それ自身の回転下で、アンビルロールの環状溝内へ局部的に押込んで、そこに、全周にわたる所要の塑性変形を生じさせることにより、カーカスプライ素材の一個所以上の所定位置に、所期した通りのくせ付け加工を円滑に施すことができる。
【００２８】
ここで、回転円板を、アンビルロールの半径方向断面内で、それの周面と平行に延びる支持軸に取付けた場合は、とくには、その回転円板による、カーカスプライ素材端部分の、環状溝への押込み変形を、より円滑に、かつ、より正確に行うことができる。
【００２９】
また、アンビルロールに、カーカスプライ素材の端部分の位置決め手段、たとえば、スチールコードの磁気吸着手段、多くは被覆ゴムを伴うカーカスプライ素材の負圧吸着手段、カーカスプライ素材の粘着保持手段等を設けた場合には、上記端部分へのくせ付け加工に際し、その端部分の、アンビルロール上での逃げ変形等を有利に拘束して、適正なるくせ付け加工を有効に担保することができる。
【００３０】
そして、アンビルロールの周面を、剛性コアから遠去かるに連れて漸次小径となるテーパ面としたときは、先にも述べたように、アンビルロールの周面を、ビードリングを嵌め合わせたカーカスプライ素材の突出端部分の延在形態に、より適切に対応させることができ、これにより、その突出端部分へのくせ付け加工を一層高い精度にて行うことができる。
【００３１】
以上のような装置のいずれかにおいて、アンビルロールの、複数条の環状溝のそれぞれにカーカスプライ素材を押込むそれぞれの回転円板を共通の一本の支持軸に取付けた場合には、その支持軸をアンビルロールに近接変位させることで、突出端部分の複数個所への同時のくせ付け加工を簡易に行うことができる。
【発明を実施するための最良の形態】
【００３２】
図１〜４は、この発明の実施の形態を示す図であり、図１に、半径方向の部分断面図で示す、この発明に係る装置は、製品タイヤの内面形状と対応する外面形状を有する、分解および組立て可能な剛性コア１を回転駆動軸２に固定するとともに、この剛性コア１のそれぞれの側部に隣接させて配置され、図では、コア１から遠去かるにつれて漸次小径となるテーパ周面を有し、全体として円錐台状をなす、コア１より小径のそれぞれのアンビルロール３を、回転駆動軸２上に、コア１と同軸に固定し、そして、それらの各アンビルロール３の周面上の、軸線方向の所要位置に、一条以上、図では二条の環状溝４を設け、そして、後に詳述するカーカスプライ素材５の端部分６を、各アンビルロール３の環状溝４内へ局部的に押込む回転円板７を、アンビルロール周面の環状溝４に対して接近および離反変位可能に設けたものである。
【００３３】
ここで、環状溝４の断面形状、寸法等は所要に応じて適宜選択することができ、回転円板７は、支持軸８に取付けられて、カーカスプライ素材５との摩擦力によって回転されるもの、または、支持軸８の駆動によって、カーカスプライ素材端部分６の回転周速と等しい速度で回転駆動されるものとすることができる。
【００３４】
そして、支持軸８は、アンビルロール３の半径方向断面内で、それの周面と平行に延在するもの、ひいては、その延在姿勢を維持しつつ、アンビルロール３に対して接近および離反変位できるものであることが好ましく、また、複数枚の回転円板７のそれぞれをともに取付けできる、図示のような共通支持軸であることが好ましい。
【００３５】
ところで、アンビルロール３には、その周面上にカーカスプライ素材５の端部分６を、磁気吸着、負圧吸着、粘着その他によって位置決めし、保持することができる、図示しない位置決め手段を設けることが好ましい。
【００３６】
以上のように構成してなる、カーカスプライ素材の折曲げ装置を用いて生タイヤを製造する場合は、剛性コア１の周面上に、所要のタイヤ構成部材を所定の順序で配設して生タイヤを成型するに当って、まず、剛性コア１上に、多数本のスチールコード５ａからなり、通常は被覆ゴムを有するカーカスプライ素材５を、それの全周にわたって、かつ、剛性コア１の両側部へ十分長く突出させて、図に仮想線で示すようにほぼ円筒状に配設するとともに、剛性コア１の両側部で、カーカスプライ素材５の周りに、所定の直径を有する一対以上、図では一対のビードリング９を嵌め合わせて配置し、これにより、カーカスプライ素材５の、剛性コア１からの突出部分を、図に実線で示すように、突出端側に向けて次第に縮径変形させて、それぞれのビードリング９からの突出端部分、すなわち、前記端部分６を、アンビルロール３のテーパ周面上に位置させ、好ましくは、その突出端部分６を、図示しない位置決め手段によって、そのテーパ周面上に、吸着等によって位置決め保持する。
【００３７】
次いで、図２に、一方のアンビルロール等の要部を拡大して例示するように、アンビルロール３のテーパ周面上に、図２（ａ）に示すように位置決めされる突出端部分６に対して、回転円板７を図２（ｂ）に示すように近接変位させて、剛性コア１およびアンビルロール３、ひいては、カーカスプライ素材５の回動変位下で、突出端部分６の、図では軸線方向に所定の間隔をおく二個所を、それぞれの回転円板７によって環状溝４内へ同時に押込んで、それらの二個所に、図２（ｃ）に示すように、半径方向外方に折れ曲がる向きに塑性変形されたくせ付け加工部６ａを全周にわたって同時に形成する。
【００３８】
図３（ａ）は、このようなくせ付け加工部６ａの形成状態を示す、図１と同様の部分断面図であり、この図に示すところでは、その後に、対をなすビードリング９を、図３（ｂ）に示すように、それらが剛性コア１のそれぞれの側部に隣接して位置する、それら本来のセット位置に変位させる。
【００３９】
さらには、図４（ａ）に示すように、ビードロック手段１０を拡径変位させて、カーカスプライ素材５の突出端部分６およびビードリング９のそれぞれを、それらの幾分の拡径変形下で位置決め保持し、そして、この位置決め保持状態を維持しつつ、図４（ｂ）に示すように、剛性コア１に対してビードロック手段１０の外側に隣接して位置する巻付け手段１１を拡径変形させて、突出端部分６、ひいては、くせ付け加工部分を半径方向外向きに塑性変形させ、これにより、前記くせ付け加工部６ａとの関連の下で、くせ付け加工部分を、ビードリング９の周りに、剛性コア１の軸線方向の外側から抱着く向きに変形させ、この場合、好適には、くせ付け加工部６ａを、横断面形状が多角形をなすビードリング９の一以上の角部に対応させて位置させる。
【００４０】
このようにしてカーカスプライ素材５の突出端部分６の、ビードリング９への所要の巻付けを終了した後は、巻付け手段１１を縮径させた状態で、一層以上のカーカスプライ素材５の外面側に、他の所要のタイヤ構成部材を所定の順序で配設することによって生タイヤを成型する。
【００４１】
以上この発明の実施の形態を図面に示すところに基いて説明したが、折曲げ装置の、アンビルロール３の周面上の環状溝４は、必要に応じて一本もしくは三本以上の複数本とすることもでき、また、剛性コア１より小径のアンビルロールの周面を、軸線方向の全長にわたって均一径となる円筒面とすることもできる。
そしてまた、アンビルロールは、回転駆動軸２上で、剛性コア１に対し、スプライン、セレーション等の作用下で、所要に応じて接近および離隔変化可能とすることもできる。
【図面の簡単な説明】
【００４２】
【図１】この発明に係る装置の実施形態を示す半径方向の部分断面図である。
【図２】一方のアンビルロール等の要部を拡大して示す、くせ付け加工工程図である。
【図３】カーカスプライ素材の突出端部分へのくせ付け加工状態およびビードリングのセット状態を示す図１と同様の図である。
【図４】くせ付け加工部分のビードリングへの巻付け工程を示す図１と同様の図である。
【符号の説明】
【００４３】
１  剛性コア
２  回転駆動軸
３  アンビルロール
４  環状溝
５  カーカスプライ素材
５ａ  スチールコード
６  突出端部分
６ａ  くせ付け加工部
７  回転円板
８  支持軸
９  ビードリング
１０  ビードロック手段
１１  巻付け手段
【図１】
2008126483.tif 000003
【図２】
2008126483.tif 000004
【図３】
2008126483.tif 000005
【図４】
2008126483.tif 000006
【手続補正書】
【提出日】平成18年11月21日(2006.11.21)
【手続補正１】
【補正対象書類名】明細書
【補正対象項目名】０００２
【補正方法】変更
【補正の内容】
【０００２】
製品タイヤの内面形状と対応する外面形状を有する剛性コア上で生タイヤを成型する場合には、製品タイヤの、カーカスプライの耐引き抜け性を向上させてビード部耐久性を高めるべく、特許文献１および、特願２００６−５６０７８号に開示されているように、スチールコードからなるカーカスプライ素材のそれぞれの側部部分を、スチールコードの弾性変形下で、対をなすそれぞれのビードリングの周りに、内側から外側へ、そしてまた、外側から内側に向けて順次に巻き回すとともに、カーカスプライ素材のこの巻き回し端部分を、拘束部材をもって、半径方向外方側からビードリングに拘束することが提案されている。
【特許文献１】特開２００６−６２４９５号公報
【手続補正書】
【提出日】平成18年12月11日(2006.12.11)
【手続補正１】
【補正対象書類名】図面
【補正対象項目名】図３
【補正方法】変更
【補正の内容】
【図３】
2008126483.tif 000007
【手続補正２】
【補正対象書類名】図面
【補正対象項目名】図４
【補正方法】変更
【補正の内容】
【図４】
2008126483.tif 000008